(57)【特許請求の範囲】
【請求項１】
無線アクセスシステムにおいてランダムアクセスを実行する方法であって、
サービスフローのサービス品質（ＱｏＳ）パラメータと既に設定された帯域幅要請（ＢＲ）インデックスとを含む動的サービス要請メッセージを基地局から受信することと、
該既に設定されたＢＲインデックスを含む動的サービス応答メッセージを該基地局に送信することと、
該既に設定されたＢＲインデックスに基づいて選択されたＢＲプリアンブルシーケンスを該基地局に送信することと
を含み、
該既に設定されたＢＲインデックスは、該ＱｏＳパラメータを考慮することによって決定される、方法。
【請求項２】
移動端末が、前記ＢＲプリアンブルシーケンスと共に高速接続メッセージを前記基地局に送信し、
該高速接続メッセージは、該移動端末を識別するステーション識別子（ＳＴＩＤ）と、ＢＲ大きさおよびサービス品質情報を示すＢＲインデックスとを含む、請求項１に記載の方法。
【請求項３】
少なくとも前記ＢＲプリアンブルシーケンスおよび前記高速接続メッセージの受信状態を示すＢＲ受信確認Ａ−ＭＡＰ情報要素（ＲＢ  ＡＣＫ  Ａ−ＭＡＰ  ＩＥ）を受信することをさらに含む、請求項２に記載の方法。
【請求項４】
前記既に設定されたＢＲインデックスは、アップリンクデータのスケジューリングタイプとＢＲ大きさとのうちの少なくとも１つを考慮することによって割り当てられる、請求項２に記載の方法。
【請求項５】
前記動的サービス要請メッセージは、動的サービス追加要請（ＤＳＡ−ＲＥＱ）メッセージと動的サービス変更要請（ＤＳＣ−ＲＥＱ）メッセージとのうちの１つであり、
前記動的サービス応答メッセージは、動的サービス追加応答（ＤＳＡ−ＲＳＰ）メッセージと動的サービス変更応答（ＤＳＣ−ＲＳＰ）メッセージとのうちの１つである、請求項２に記載の方法。
【請求項６】
無線アクセスシステムにおいてランダムアクセスを実行する移動端末であって、
無線信号を送信する送信モジュールと、
該無線信号を受信する受信モジュールと、
該ランダムアクセスを制御するプロセッサと
を含み、
該プロセッサは、該送信モジュールと該受信モジュールとを用いることによって、サービスフローのサービス品質（ＱｏＳ）パラメータと既に設定された帯域幅要請（ＢＲ）インデックスとを含む動的サービス要請メッセージを基地局から受信するステップと、
該既に設定されたＢＲインデックスを含む動的サービス応答メッセージを該基地局に送信するステップと、
該既に設定されたＢＲインデックスに基づいて選択されたＢＲプリアンブルシーケンスを該基地局に送信するステップと
を制御し、
該既に設定されたＢＲインデックスは、該ＱｏＳパラメータを考慮することによって決定される、移動端末。
【請求項７】
前記移動端末は、前記ＢＲプリアンブルシーケンスと共に高速接続メッセージを前記基地局に送信し、
該高速接続メッセージは、該移動端末を識別するステーション識別子（ＳＴＩＤ）と、該ＢＲサイズおよびサービス品質情報を示すＢＲインデックスとを含む、請求項６に記載の移動端末。
【請求項８】
少なくとも前記ＢＲプリアンブルシーケンスおよび前記高速接続メッセージの受信状態を示すＢＲ受信確認Ａ−ＭＡＰ情報要素（ＲＢ  ＡＣＫ  Ａ−ＭＡＰ  ＩＥ）を受信することをさらに含む、請求項７に記載の移動端末。
【請求項９】
前記既に設定されたＢＲインデックスは、アップリンクデータのスケジューリングタイプとＢＲ大きさとのうちの少なくとも１つを考慮することによって割り当てられる、請求項７に記載の移動端末。
【請求項１０】
前記動的サービス要請メッセージは、動的サービス追加要請（ＤＳＡ−ＲＥＱ）メッセージと動的サービス変更要請（ＤＳＣ−ＲＥＱ）メッセージとのうちの１つであり、
前記動的サービス応答メッセージは、動的サービス追加応答（ＤＳＡ−ＲＳＰ）メッセージと動的サービス変更応答（ＤＳＣ−ＲＳＰ）メッセージとのうちの１つである、請求項７に記載の移動端末。
【請求項１１】
無線アクセスシステムの基地局内でランダムアクセスを支援する方法であって、
サービスフローのサービス品質（ＱｏＳ）パラメータと既に設定された帯域幅要請（ＢＲ）インデックスとを含む動的サービス要請メッセージを移動端末に送信することと、
該既に設定されたＢＲインデックスを含む該基地局への動的サービス応答メッセージを受信することと、
該既に設定されたＢＲインデックスに基づいて選択された該基地局へのＢＲプリアンブルシーケンスを受信することと
を含み、
該既に設定されたＢＲインデックスは、該ＱｏＳパラメータを考慮することによって決定される、方法。
【請求項１２】
前記基地局は、前記ＢＲプリアンブルシーケンスと共に高速接続メッセージを前記移動端末から受信し、
該高速接続メッセージは、該移動端末を識別するステーション識別子（ＳＴＩＤ）と、該ＢＲ大きさおよびサービス品質情報を示すＢＲインデックスとを含む、請求項１１に記載の方法。
【請求項１３】
少なくとも前記ＢＲプリアンブルシーケンスおよび前記高速接続メッセージの受信状態を示すＢＲ受信確認Ａ−ＭＡＰ情報要素（ＲＢ  ＡＣＫ  Ａ−ＭＡＰ  ＩＥ）を送信することをさらに含む、請求項１２に記載の方法。
【請求項１４】
前記既に設定されたＢＲインデックスは、アップリンクデータのスケジューリングタイプとＢＲ大きさとのうちの少なくとも１つを考慮することによって割り当てられる、請求項１２に記載の方法。
【請求項１５】
前記動的サービス要請メッセージは、動的サービス追加要請（ＤＳＡ−ＲＥＱ）メッセージと動的サービス変更要請（ＤＳＣ−ＲＥＱ）メッセージとのうちの１つであり、
前記動的サービス応答メッセージは、動的サービス追加応答（ＤＳＡ−ＲＳＰ）メッセージと動的サービス変更応答（ＤＳＣ−ＲＳＰ）メッセージとのうちの１つである、請求項１２に記載の方法。
【請求項１６】
無線アクセスシステムにおいてランダムアクセスを支援する基地局であって、
無線信号を送信する送信モジュールと、
該無線信号を受信する受信モジュールと、
該ランダムアクセスを制御するプロセッサと
を含み、
該プロセッサは、該送信モジュールと該受信モジュールとを用いることによって、サービスフローのサービス品質（ＱｏＳ）パラメータと既に設定された帯域幅要請（ＢＲ）インデックスとを含む動的サービス要請メッセージを移動端末に送信するステップと、
該既に設定されたＢＲインデックスを含む動的サービス応答メッセージを該移動端末から受信するステップと、
該既に設定されたＢＲインデックスに基づいて選択されたＢＲプリアンブルシーケンスを該移動端末から受信するステップと
を制御し、
該既に設定されたＢＲインデックスは、該ＱｏＳパラメータを考慮することによって決定される、基地局。
【請求項１７】
前記基地局は、前記ＢＲプリアンブルシーケンスと共に高速接続メッセージを前記移動端末から受信し、
該高速接続メッセージは、該移動端末を識別するステーション識別子（ＳＴＩＤ）と、該ＢＲサイズおよびサービス品質情報を示すＢＲインデックスとを含む、請求項１６に記載の基地局。
【請求項１８】
前記基地局は、少なくとも前記ＢＲプリアンブルシーケンスおよび前記高速接続メッセージの受信状態を示すＢＲ受信確認Ａ−ＭＡＰ情報要素（ＲＢ  ＡＣＫ  Ａ−ＭＡＰ  ＩＥ）を送信する、請求項１７に記載の基地局。
【請求項１９】
前記既に設定されたＢＲインデックスは、アップリンクデータのスケジューリングタイプとＢＲ大きさとのうちの少なくとも１つを考慮することによって割り当てられる、請求項１７に記載の基地局。
【請求項２０】
前記動的サービス要請メッセージは、動的サービス追加要請（ＤＳＡ−ＲＥＱ）メッセージと動的サービス変更要請（ＤＳＣ−ＲＥＱ）メッセージとのうちの１つであり、
前記動的サービス応答メッセージは、動的サービス追加応答（ＤＳＡ−ＲＳＰ）メッセージと動的サービス変更応答（ＤＳＣ−ＲＳＰ）メッセージとのうちの１つである、請求項１７に記載の基地局。
【発明の詳細な説明】
【技術分野】
【０００１】
本発明は、無線接続システムにおいて帯域幅要請のための帯域幅要請コード（ＢＲ  ｃｏｄｅ）を選択する方法、ランダムアクセス方式及びこれを支援する装置に関するものである。
【背景技術】
【０００２】
図１は、競合ベース要請方式を用いた端末のアップリンクリソース割当手順を示す図である。
【０００３】
図１を参照すると、端末は、アップリンクにおいて帯域幅要請（Ｂａｎｄｗｉｄｔｈ  Ｒｅｑｕｅｓｔ）のために割り当てられた領域からランダムに選択したスロットに、ランダムに選択したＣＤＭＡコードを伝送する（Ｓ１１０）。
【０００４】
端末が送ったＣＤＭＡコードを基地局が認識すると、基地局は、ＣＤＭＡ割当情報要素（ＣＤＭＡ＿Ａｌｌｏｃａｔｉｏｎ＿ＩＥ）を用いて、端末が帯域幅要請メッセージを伝送するリソースを割り当てる（Ｓ１２０）。
【０００５】
帯域幅要請メッセージの伝送のためのアップリンクリソースに関する情報を受けた端末は、該当のリソース領域に帯域幅要請メッセージを伝送する。この時、端末は、帯域幅要請ヘッダー（ＢＲ  ｈｅａｄｅｒ）を用いることができ、ヘッダーには、要請帯域幅の大きさなどに関する情報が含まれる（Ｓ１３０）。
【０００６】
基地局は、端末の要請した帯域幅が可用であれば、アップリンクリソースを端末に割り当てる（Ｓ１４０）。
【０００７】
端末は、割り当てられたアップリンクリソースにデータを伝送する（Ｓ１５０）。
【発明の概要】
【発明が解決しようとする課題】
【０００８】
広帯域無線接続システムにおいて、３ステップランダムアクセス過程を行おうとする移動端末は、ＢＲプリアンブルシーケンスと、アップリンク帯域幅要請情報（例えば、ステーション識別子（Ｓｔａｔｉｏｎ  ＩＤ）、ＢＲ要請大きさ）を含む高速接続メッセージと、を基地局に伝送しなければならない。
【０００９】
この時、高速接続メッセージを正常に受信できなかった基地局は、移動端末に関する情報を獲得できない。すなわち、基地局は、帯域幅を割り当てるように要請されたが、いかなる移動端末にどれだけの帯域幅を割り当てなければならないのかわからない状況が生じることがある。したがって、基地局が高速接続メッセージのデコーディングに成功するか否かを問わず、基地局は有意な情報を得る必要がある。
【００１０】
このために、移動端末は、アップリンク帯域幅要請情報を用いて一定の規則にしたがってＢＲプリアンブルシーケンスを選択する必要がある。すなわち、ＢＲプリアンブルシーケンスのみを検出した基地局は、ＢＲプリアンブルシーケンスをデコーディングするだけでも移動端末を特定できることが望ましい。
【００１１】
また、基地局は、移動端末が高速接続メッセージを伝送したか否かを知る必要がある。もし、基地局が、移動端末が高速接続メッセージを伝送したか否かが全く知らないと、移動端末が高速接続メッセージを伝送しない５ステップランダムアクセス過程においても、高速接続メッセージを受信するために該当の無線チャネルを全部デコーディングしなければならないというオーバーヘッドがある。
【００１２】
さらに、基地局が、高速接続メッセージが正常にデコーディングされたと誤認識した場合、基地局は、要請していない移動端末に、アップリンク無線リソースを割り当てることがある。このような基地局の誤動作を防止するために、ＢＲプリアンブルシーケンスは、３ステップランダムアクセス過程と５ステップランダムアクセス過程においてそれぞれ区分して使用されることが望ましい。
【００１３】
本発明は、上述したような一般的な技術の問題点を解決するために案出されたもので、その目的は、移動端末が效率的にランダムアクセス方法を行うための方法を提供することにある。
【００１４】
本発明の他の目的は、移動端末が行おうとするランダムアクセス方式に応じてランダムアクセスコードを選択する方法を提供することにある。
【００１５】
本発明のさらに他の目的は、移動端末が行うランダムアクセス方式を支援するための様々な方法を提供することにある。
【００１６】
本発明のさらに他の目的は、上述した本発明の課題を解決するための移動端末及びネットワーク装置を提供することにある。
【００１７】
本発明において達成しようとする技術的課題は、以上に言及した事項に制限されず、言及していない他の技術的課題は、以下に説明する本発明の実施例から、本発明の属する技術の分野における通常の知識を有する者にとっては明らかになるであろう。
【課題を解決するための手段】
【００１８】
本発明は、無線接続システムにおいて帯域幅要請のための帯域幅要請コード（ＢＲ  ｃｏｄｅ）を選択する方法、ランダムアクセス方式及びこれを支援する装置を開示する。
【００１９】
本発明の第１実施例として、無線接続システムでランダムアクセスを行う方法は、基地局から、既に設定された帯域幅要請インデックスを含む第１メッセージを受信する段階と、移動端末が伝送するアップリンクデータの特性に基づき、既に設定された帯域幅要請インデックスから、帯域幅要請プリアンブルシーケンスを選択する段階と、基地局に、既に設定された帯域幅要請インデックスを含む第２メッセージを伝送する段階と、選択した帯域幅要請プリアンブルシーケンスを基地局に伝送する段階と、を含むことができる。
【００２０】
ここで、アップリンクデータの特性は、アップリンクデータと関連したサービスタイプ、優先順位、スケジューリングタイプ及び帯域幅要請大きさのうちの一つ以上であればいい。また、既に設定された帯域幅要請インデックスは、帯域幅要請プリアンブルシーケンス集合インデックス及び帯域幅要請プリアンブルシーケンス範囲情報を含むことができる。ここで、既に設定された帯域幅要請インデックスは、アップリンクデータの特性に基づいて設定されることができる。
【００２１】
上記の本発明の第１実施例において、帯域幅要請プリアンブルシーケンスを選択する段階は、移動端末がアップリンクデータ特性に基づいて帯域幅要請プリアンブルシーケンス集合インデックスを選択する段階と、帯域幅要請プリアンブルシーケンス集合インデックスから、帯域幅要請プリアンブルシーケンスを選択する段階と、を含むことができる。
【００２２】
上記の本発明の第１実施例は、基地局から、帯域幅要請プリアンブルシーケンスが正常に受信されたことを示す受信確認メッセージを受信する段階と、基地局から、アップリンクデータの伝送または帯域幅要請ヘッダーの伝送のために割り当てられた無線リソースに関する情報を含むマップメッセージを受信する段階と、をさらに含むことができる。
【００２３】
上記の本発明の第１実施例は、基地局から、帯域幅要請プリアンブルシーケンスの受信に成功したか否かを示す受信確認メッセージを受信する段階と、受信確認メッセージが、帯域幅要請プリアンブルシーケンスの受信に失敗したことを示すと、基地局に帯域幅要請プリアンブルシーケンスを再伝送する段階と、をさらに含むことができる。
【００２４】
また、移動端末が３ステップランダムアクセス過程を行う場合には、移動端末は、帯域幅要請プリアンブルシーケンスを伝送する段階において、移動端末を識別するステーション識別子を含む高速接続メッセージを一緒に伝送することができる。
【００２５】
この時、移動端末は、基地局から帯域幅要請プリアンブルシーケンス及び高速接続メッセージの受信状態を示す受信確認メッセージを受信することができる。もし、受信確認メッセージが、帯域幅要請プリアンブルシーケンスは正常に受信されたことを示すが、高速接続メッセージは正常に受信されなかったことを示すと、移動端末は、基地局から、アップリンクデータの伝送または帯域幅要請ヘッダーの伝送のために割り当てられた無線リソースに関する情報を含むマップメッセージを受信することができる。
【００２６】
したがって、移動端末は、割り当てられた無線リソース領域を通じてアップリンクデータまたは帯域幅要請ヘッダーを基地局に伝送することができる。
【００２７】
もし、受信確認メッセージが、帯域幅要請プリアンブルシーケンス及び高速接続メッセージの両方とも正常に受信されなかったことを示すと、移動端末は、帯域幅要請プリアンブルシーケンス及び高速接続メッセージを基地局に再伝送することができる。
【００２８】
上記本発明の第１実施例において、第１メッセージは、基地局が動的サービスに対する要請を開始（ｉｎｉｔｉａｔｅｄ）した場合、動的サービス追加要請（ＤＳＡ−ＲＥＱ）メッセージまたは動的サービス変更要請（ＤＳＣ−ＲＥＱ）メッセージのいずれかであり、移動端末が動的サービスに対する要請を開始した場合、動的サービス追加応答（ＤＳＡ−ＲＳＰ）メッセージまたは動的サービス変更応答（ＤＳＡ−ＲＳＰ）メッセージのいずれかでよい。また、第２メッセージは、基地局が動的サービスに対する要請を開始した場合、動的サービス追加応答（ＤＳＡ−ＲＳＰ）メッセージまたは動的サービス変更応答（ＤＳＣ−ＲＳＰ）メッセージのいずれかであり、移動端末が動的サービスに対する要請を開始した場合、動的サービス追加要請メッセージまたは動的サービス変更要請メッセージのいずれかでよい。
【００２９】
本発明の第２実施例として、無線接続システムでランダムアクセスを行う移動端末は、無線信号を送信するための送信モジュールと、無線信号を受信するための受信モジュールと、ランダムアクセスを制御するプロセッサと、含むことができる。
【００３０】
ここで、プロセッサは、基地局から、既に設定された帯域幅要請インデックスを含む第１メッセージを受信する段階と、移動端末が伝送するアップリンクデータの特性に基づき、前記既に設定された帯域幅要請インデックスで帯域幅要請プリアンブルシーケンスを選択する段階と、基地局に、既に設定された帯域幅要請インデックスを含む第２メッセージを伝送する段階と、選択した帯域幅要請プリアンブルシーケンスを基地局に伝送する段階と、を制御することができる。
【００３１】
上記本発明の第２実施例において、アップリンクデータの特性は、アップリンクデータと関連したサービスタイプ、優先順位、スケジューリングタイプ及び帯域幅要請大きさのうちの一つ以上を示すことができる。ここで、既に設定された帯域幅要請インデックスは、帯域幅要請プリアンブルシーケンス集合インデックス及び帯域幅要請プリアンブルシーケンス範囲情報を含むことができる。
【００３２】
前記プロセッサは、移動端末がアップリンクデータ特性に基づいて前記帯域幅要請プリアンブルシーケンス集合インデックスを選択する段階と、帯域幅要請プリアンブルシーケンス集合インデックスから、帯域幅要請プリアンブルシーケンスを選択する段階と、をさらに行うことができる。
【００３３】
上述した本発明の第１実施例及び第２実施例は、本発明の好適な実施例の一部に過ぎず、本願発明の技術的特徴が反映された様々な実施例が、当該技術の分野における通常の知識を有する者にとっては、以下に詳述する本発明の詳細な説明から導出され、理解されるであろう。
（項目１）
無線接続システムにおいてランダムアクセスを行う方法であって、
基地局から、既に設定された帯域幅要請インデックスを含む第１メッセージを受信する段階と、
移動端末が伝送するアップリンクデータの特性に基づき、前記既に設定された帯域幅要請インデックスから帯域幅要請プリアンブルシーケンスを選択する段階と、
前記基地局に、前記既に設定された帯域幅要請インデックスを含む第２メッセージを伝送する段階と、
選択した前記帯域幅要請プリアンブルシーケンスを前記基地局に伝送する段階と、
を含む、ランダムアクセス方法。
（項目２）
前記アップリンクデータの特性は、
前記アップリンクデータと関連したサービスタイプ、優先順位、スケジューリングタイプ及び帯域幅要請大きさのうちの一つ以上を表す、項目１に記載のランダムアクセス方法。
（項目３）
前記既に設定された帯域幅要請インデックスは、
帯域幅要請プリアンブルシーケンス集合インデックス及び帯域幅要請プリアンブルシーケンス範囲情報を含む、項目２に記載のランダムアクセス方法。
（項目４）
前記帯域幅要請プリアンブルシーケンスを選択する段階は、
前記移動端末が、前記アップリンクデータ特性に基づいて前記帯域幅要請プリアンブルシーケンス集合インデックスを選択する段階と、
前記帯域幅要請プリアンブルシーケンス集合インデックスから前記帯域幅要請プリアンブルシーケンスを選択する段階と、を含む、項目３に記載のランダムアクセス方法。
（項目５）
前記基地局から、前記帯域幅要請プリアンブルシーケンスが正常に受信されたことを示す受信確認メッセージを受信する段階と、
前記基地局から、前記アップリンクデータの伝送または帯域幅要請ヘッダーの伝送のために割り当てられた無線リソースに関する情報を含むマップメッセージを受信する段階と、をさらに含む、項目２に記載のランダムアクセス方法。
（項目６）
前記基地局から、前記帯域幅要請プリアンブルシーケンスの受信に成功したか否かを示す受信確認メッセージを受信する段階と、
前記受信確認メッセージが、前記帯域幅要請プリアンブルシーケンスの受信に失敗したことを示すと、前記基地局に前記帯域幅要請プリアンブルシーケンスを再伝送する段階と、
をさらに含む、項目２に記載のランダムアクセス方法。
（項目７）
前記移動端末は、前記帯域幅要請プリアンブルシーケンスを伝送する段階において、前記移動端末を識別するステーション識別子を含む高速接続メッセージを一緒に伝送することを特徴とする、項目２に記載のランダムアクセス方法。
（項目８）
前記基地局から、前記帯域幅要請プリアンブルシーケンス及び前記高速接続メッセージの受信状態を示す受信確認メッセージを受信する段階をさらに含む、項目７に記載のランダムアクセス方法。
（項目９）
前記受信確認メッセージが、前記帯域幅要請プリアンブルシーケンスが正常に受信され、前記高速接続メッセージは正常に受信されなかったことを示すと、
前記基地局から、前記アップリンクデータの伝送または帯域幅要請ヘッダーの伝送のために割り当てられた無線リソースに関する情報を含むマップメッセージを受信する段階をさらに含む、項目８に記載のランダムアクセス方法。
（項目１０）
前記受信確認メッセージが、前記帯域幅要請プリアンブルシーケンス及び前記高速接続メッセージの両方とも正常に受信されなかったことを示すと、
前記帯域幅要請プリアンブルシーケンス及び前記高速接続メッセージを前記基地局に再伝送する段階をさらに含む、項目８に記載のランダムアクセス方法。
（項目１１）
前記第１メッセージは、動的サービス追加要請（ＤＳＡ−ＲＥＱ）メッセージまたは動的サービス変更要請（ＤＳＣ−ＲＥＱ）メッセージのいずれかであり、
前記第２メッセージは、動的サービス追加応答（ＤＳＡ−ＲＳＰ）メッセージまたは動的サービス変更応答（ＤＳＣ−ＲＳＰ）メッセージのいずれかである、項目１に記載のランダムアクセス方法。
（項目１２）
無線接続システムにおいてランダムアクセスを行う移動端末であって、
無線信号を送信するための送信モジュールと、
無線信号を受信するための受信モジュールと、
前記ランダムアクセスを制御するプロセッサと、
を含み、
前記プロセッサは、
基地局から既に設定された帯域幅要請インデックスを含む第１メッセージを受信する段階と、
移動端末が伝送するアップリンクデータの特性に基づき、前記既に設定された帯域幅要請インデックスから帯域幅要請プリアンブルシーケンスを選択する段階と、
前記基地局に、前記既に設定された帯域幅要請インデックスを含む第２メッセージを伝送する段階と、
選択した前記帯域幅要請プリアンブルシーケンスを前記基地局に伝送する段階と、を制御する、移動端末。
（項目１３）
前記アップリンクデータの特性は、
前記アップリンクデータと関連したサービスタイプ、優先順位、スケジューリングタイプ及び帯域幅要請大きさのうちの一つ以上を示す、項目１２に記載の移動端末。
（項目１４）
前記既に設定された帯域幅要請インデックスは、
帯域幅要請プリアンブルシーケンス集合インデックス及び帯域幅要請プリアンブルシーケンス範囲情報を含む、項目１３に記載の移動端末。
（項目１５）
前記帯域幅要請プリアンブルシーケンスを選択する段階は、
前記移動端末が、前記アップリンクデータ特性に基づいて前記帯域幅要請プリアンブルシーケンス集合インデックスを選択する段階と、
前記帯域幅要請プリアンブルシーケンス集合インデックスから、前記帯域幅要請プリアンブルシーケンスを選択する段階と、
を含む、項目１４に記載の移動端末。
【発明の効果】
【００３４】
本発明の実施例によれば、下記の効果が得られる。
【００３５】
第一、移動端末が效率的に３ステップまたは５ステップランダムアクセス方式で基地局にランダムアクセスを行うことができる。
【００３６】
第二、移動端末がランダムアクセス方式によってランダムアクセスコードを選択する明確な方法を利用することができる。
【００３７】
第三、ＤＳｘ処理過程を用いて移動端末の行うランダムアクセス方式を支援することによって、效率的にランダムアクセス方式を行うことができる。
【００３８】
本発明の実施例から得られる効果は、以上に言及した効果に制限されず、言及していない他の効果は、以下の本発明の実施例についての記載から、本発明の属する技術の分野における通常の知識を有する者には明確に導出されて理解されるであろう。すなわち、本発明の実施に伴う意図しない効果も、本発明の実施例から、当該技術の分野における通常の知識を有する者により導出されることがある。
【図面の簡単な説明】
【００３９】
【図１】競合ベース要請方式を用いた端末のアップリンクリソース割当手順を示す図である。
【図２】３ステップランダムアクセスベースの帯域幅要請過程の一例を示す図である。
【図３】３ステップの故障時における代替方式として、５ステップランダムアクセスベースの帯域幅要請過程の一例を示す図である。
【図４】一つの帯域幅要請チャネル構造の一例を示す図である。
【図５】本発明の一実施例であって、ステーション識別子を用いてＢＲプリアンブルシーケンスを選択する方法の一つを示す図である。
【図６】本発明の一実施例であって、ＤＳｘ処理過程を用いたＢＲプリアンブルインデックス決定方法の一つを示す図である。
【図７】本発明の他の実施例であって、３ステップランダムアクセス方式の一例を示す図である。
【図８】本発明の他の実施例であって、３ステップランダムアクセス方式の他の例を示す図である。
【図９】本発明の他の実施例であって、３ステップランダムアクセス方式の他の例を示す図である。
【図１０】本発明の他の実施例であって、３ステップランダムアクセス方式のさらに他の例を示す図である。
【図１１】本発明のさらに他の実施例であって、５ステップランダムアクセス方式の一例を示す図である。
【図１２】本発明のさらに他の実施例であって、５ステップランダムアクセス方式の他の例を示す図である。
【図１３】本発明のさらに他の実施例であって、図２乃至図１２で説明した本発明の実施例が行われうる移動端末及び基地局を示す図である。
【発明を実施するための形態】
【００４０】
本発明の実施例は、無線接続システムにおいて帯域幅要請のための帯域幅要請コード（ＢＲ  ｃｏｄｅ）を選択する方法、ランダムアクセス方式及びこれを支援する装置を開示する。
【００４１】
下記の実施例は、本発明の構成要素及び特徴を所定の形態で結合したものである。各構成要素または特徴は、別の明示的な言及がない限り、選択的なものとして考慮することができる。各構成要素または特徴は、他の構成要素や特徴と結合しない形態で実施することもできる。また、一部の構成要素及び／または特徴を結合して本発明の実施例を構成することができる。本発明の実施例で説明される動作の順序は変更可能である。ある実施例の一部構成や特徴は、他の実施例に含まれることもでき、他の実施例の対応する構成または特徴に取って代わることもできる。
【００４２】
図面についての説明において、本発明の要旨を曖昧にさせる手順または段階などは記述しない他、当業者のレベルで理解できる程度の手順または段階についても説明を省略するものとする。
【００４３】
本明細書において、本発明の実施例は、基地局と移動局間のデータ送受信関係を中心に説明された。ここで、基地局は、移動局と直接的に通信を行うネットワークの終端ノード（ｔｅｒｍｉｎａｌ  ｎｏｄｅ）の意味を有する。本文書で、基地局により行われると説明された特定動作は、場合によっては、基地局の上位ノード（ｕｐｐｅｒ  ｎｏｄｅ）により行われることもできる。
【００４４】
すなわち、基地局を含む多数のネットワークノード（ｎｅｔｗｏｒｋ  ｎｏｄｅｓ）からなるネットワークにおいて移動局との通信のために行われる種々の動作は、基地局または基地局以外の別のネットワークノードにより行われることができる。ここで、‘基地局’は、固定局（ｆｉｘｅｄ  ｓｔａｔｉｏｎ）、Ｎｏｄｅ  Ｂ、ｅＮｏｄｅ  Ｂ（ｅＮＢ）、発展された基地局（Ａｄｖａｎｃｅｄ  Ｂａｓｅ  Ｓｔａｔｉｏｎ）、またはアクセスポイント（Ａｃｃｅｓｓ  Ｐｏｉｎｔ）などの用語に代替可能である。
【００４５】
また、‘移動局（ＭＳ：Ｍｏｂｉｌｅ  Ｓｔａｔｉｏｎ）’は、ＵＥ（Ｕｓｅｒ  Ｅｑｕｉｐｍｅｎｔ）、ＳＳ（Ｓｕｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、発展された移動端末（ＡＭＳ：Ａｄｖａｎｃｅｄ  Ｍｏｂｉｌｅ  Ｓｔａｔｉｏｎ）または端末（Ｔｅｒｍｉｎａｌ）などの用語に代替可能である。
【００４６】
また、送信端は、データサービスまたは音声サービスを提供する固定及び／または移動ノードを意味し、受信端は、データサービスまたは音声サービスを受信する固定及び／または移動ノードを意味する。したがって、アップリンクでは、移動局が送信端となり、基地局が受信端となればいい。同様に、ダウンリンクでは、移動局が受信端となり、基地局が送信端となればいい。
【００４７】
本発明の実施例は、無線接続システムであるＩＥＥＥ  ８０２．ｘｘ、３ＧＰＰシステム、３ＧＰＰ  ＬＴＥシステム及び３ＧＰＰ２システムのうちの少なくとも一つに開示された標準文書によりサポートされることができる。すなわち、本発明の実施例において、説明を省略した自明な段階または部分は、上記の文書によりサポートされればよい。
【００４８】
また、本文書で開示している用語はいずれも、上記の標準文書により説明されることができる。特に、本発明の実施例は、ＩＥＥＥ  ８０２．１６システムの標準文書であるＰ８０２．１６ｅ−２００４、Ｐ８０２．１６ｅ−２００５及びＰ８０２．１６Ｒｅｖ２及びＰ８０２．１６ｍ標準文書のうちの一つ以上によりサポートされればよい。
【００４９】
以下、本発明の好適な実施形態を、添付の図面を参照しつつ詳細に説明する。添付の図面と共に以下に開示される詳細な説明は、本発明の例示的な実施形態を説明するためのもので、本発明が実施されうる唯一の実施形態を示すものではない。
【００５０】
また、本発明の実施例で使われる特定用語は、本発明の理解を助けるために提供されたもので、このような特定用語の使用は、本発明の技術的思想を逸脱しない範囲で他の形態に変更可能である。例えば、本発明の実施例で使用される帯域幅要請プリアンブルシーケンス（Ｂａｎｄｗｉｄｔｈ  Ｒｅｑｕｅｓｔ  ｐｒｅａｍｂｌｅ  ｓｅｑｕｅｎｃｅ）は、帯域幅要請コード（ＢＲ  ｃｏｄｅ）とも呼ばれる。
【００５１】
図２は、３ステップランダムアクセスベースの帯域幅要請過程の一例を示す図である。
【００５２】
広帯域無線接続システムにおいて、移動端末は、３ステップまたは５ステップのランダムアクセス方式を用いることができる。５ステップランダムアクセス方式は、３ステップランダムアクセス方式と独立して用いることができ、３ステップ方式の故障時における代替方式（Ｆａｌｌ−Ｂａｃｋ  Ｍｏｄｅ）として用いることができる。
【００５３】
移動端末（ＡＭＳ：Ａｄｖａｎｃｅｄ  Ｍｏｂｉｌｅ  Ｓｔａｔｉｏｎ）は、帯域幅要請プリアンブルシーケンス（Ｂａｎｄｗｉｄｔｈ  Ｒｅｑｕｅｓｔ  ｐｒｅａｍｂｌｅ  ｓｅｑｕｅｎｃｅ）及び高速接続メッセージ（Ｑｕｉｃｋ  Ａｃｃｅｓｓ  Ｍｅｓｓａｇｅ）を、任意に選択された機会に、サービング基地局（Ｓ−ＡＢＳ：Ｓｅｒｖｉｎｇ  Ａｄｖａｎｃｅｄ  Ｂａｓｅ  Ｓｔａｔｉｏｎ）に伝送する（Ｓ２１０）。
【００５４】
ここで、高速接続メッセージには、アップリンク帯域幅要請情報であるステーション識別子（Ｓｔａｔｉｏｎ  ＩＤ）、帯域幅要請大きさ及びＱｏＳを示すＢＲインデックスなどが含まれればよい。
【００５５】
基地局は、各移動端末が伝送したＢＲプリアンブルシーケンス及び高速接続メッセージに対する受信状態を示すＢＲ  ＡＣＫ  Ａ−ＭＡＰ情報要素を、移動端末にブロードキャスト／マルチキャストの形態で伝送することができる（Ｓ２２０）。
【００５６】
また、ＢＲプリアンブルシーケンス及び高速接続メッセージを正常に受信した基地局は、各移動端末に、アップリンクリソースを割り当て、アップリンクリソース割当情報を、ＵＬ基本割当Ａ−ＭＡＰ情報要素（ＵＬ  ｂａｓｉｃ  ａｓｓｉｇｎｍｅｎｔ  Ａ−ＭＡＰ  ＩＥ）を通じて、各移動端末に伝送する（Ｓ２３０）。
【００５７】
移動端末は、割り当てられたアップリンク伝送領域を通じてアップリンクデータを基地局に伝送することができる。この時、移動端末は、追加的なアップリンク帯域幅要請情報も共に、基地局に伝送することができる（Ｓ２４０）。
【００５８】
図３は、３ステップの故障時における代替方式として、５ステップランダムアクセスベースの帯域幅要請過程の一例を示す図である。
【００５９】
移動端末は、ＢＲプリアンブルシーケンス（または、ＢＲコード）と、アップリンク帯域幅要請情報（Ｓｔａｔｉｏｎ  ＩＤ）、帯域幅要請大きさ及びＱｏＳを表すＢＲインデックスなどを含む高速接続メッセージと、を基地局に伝送する（Ｓ３１０）。
【００６０】
基地局は、各移動端末が伝送したＢＲプリアンブルシーケンス及び高速接続メッセージに対する受信状態を、ＢＲ  ＡＣＫ  Ａ−ＭＡＰ情報要素を通じて、移動端末に伝送することができる。ただし、ＢＲプリアンブルシーケンスは正常にデコーディングされたが、高速接続メッセージに誤りが発生した場合を取り上げる。したがって、ＢＲ  ＡＣＫ  Ａ−ＭＡＰ情報要素は、ＢＲプリアンブルシーケンスは正常受信であり、高速接続メッセージは誤りであることを示す（Ｓ３２０）。
【００６１】
移動端末が伝送したＢＲプリアンブルシーケンスのみを正常に受信した基地局は、移動端末が帯域幅要請（ＢＷ−ＲＥＱ）メッセージを伝送するためのアップリンクリソースを、ＣＤＭＡ割当Ａ−ＭＡＰ情報要素（ＣＤＭＡ  Ａｌｌｏｃａｔｉｏｎ  Ａ−ＭＡＰ  ＩＥ）を通じて移動端末に割り当てる（Ｓ３３０）。
【００６２】
Ｓ３３０段階において、ＣＤＭＡ  Ａ−ＭＡＰ情報要素は、独立ＢＲのためのグラントの形式で端末に伝送されればよい。
【００６３】
移動端末は、割り当てられた領域を通じて、ＢＷ−ＲＥＱメッセージ（例：独立ＢＲヘッダー形態）を、基地局に伝送する（Ｓ３４０）。
【００６４】
移動端末が伝送したＢＷ−ＲＥＱメッセージを受信した基地局は、アップリンクリソースを、アップリンク基本割当Ａ−ＭＡＰ情報要素（ＵＬ  ｂａｓｉｃ  ａｓｓｉｇｎｍｅｎｔ  Ａ−ＭＡＰ  ＩＥ）またはアップリンクデータ伝送のためのグラントメッセージを用いて、移動端末に割り当てる（Ｓ３５０）。
【００６５】
移動端末は、割り当てられたアップリンクリソース領域を通じてＵＬデータを基地局に伝送する。この時、移動端末は、追加的なアップリンク帯域幅要請情報も一緒に基地局に伝送することができる（Ｓ３６０）。
【００６６】
図３は、図２の３ステップランダムアクセス方式の故障における代替方式として、５ステップランダムアクセス方式を示している。ただし、一般の５−ステップ方式は、移動端末がＳ３１０段階において高速接続メッセージを送信しない点以外は、図３で説明した段階をそのまま用いて行えばいい。
【００６７】
図４は、一つの帯域幅要請チャネル構造の一例を示す図である。
【００６８】
図４を参照すると、一つのＢＲチャネルは、３個のタイル（ｔｉｌｅ）で構成される。ここで、１個のタイルは、時間軸における６個のＯＦＤＭシンボルと周波数軸における連続した６個のサブキャリア（ｓｕｂｃａｒｒｉｅｒ）と、から構成される。したがって、ＢＲプリアンブルシーケンスＰｒ０〜Ｐｒ２３は、各タイル内において繰り返し伝送され、高速接続メッセージＭ０〜Ｍ３５は、３個のタイルにわたって伝送される。
【００６９】
（帯域幅要請プリアンブルシーケンス選択方法Ｉ）
以下では、本発明の一実施例として、帯域幅要請プリアンブルシーケンスを選択する方法について説明する。
【００７０】
移動端末がランダムアクセス方式のために使用するＢＲプリアンブルシーケンスは、サービス品質キーパラメータ（ＱｏＳ  ｋｅｙ  ｐａｒａｍｅｔｅｒ）によって分類することができる。ここで、ＱｏＳキーパラメータは、移動端末がアップリンクリソースを要請する際、当該要請の危急有無及び伝送するデータの特性を示す。ＱｏＳキーパラメータには、サービスタイプ（Ｓｅｒｖｉｃｅ  Ｔｙｐｅ）、優先順位（Ｐｒｉｏｒｉｔｙ）及び／またはスケジューリングタイプ（ｓｃｈｅｄｕｌｉｎｇ  ｔｙｐｅ）などが含まれればよい。
【００７１】
本発明の実施例において、総ｋ個のＢＲプリアンブルシーケンスを、それぞれの目的に応じて、一つ以上のＢＲプリアンブルシーケンス集合（ＢＲ  ｐｒｅａｍｂｌｅ  ｓｅｑｕｅｎｃｅ  ｓｅｔ）に分類することができる。この時、各ＢＲプリアンブルシーケンス集合に関する情報はあらかじめ定義され、移動端末及び基地局で知っていればよい。
【００７２】
または、ＢＲプリアンブルシーケンス集合に関する情報は、移動端末の要請によりまたは要請なく基地局からシグナリング（ｓｉｇｎａｌｉｎｇ）されてもよい。この場合、ＢＲプリアンブルシーケンス集合に関する情報は、スーパーフレームヘッダー（ＳＦＨ：Ｓｕｐｅｒ  Ｆｒａｍｅ  Ｈｅａｄｅｒ）を通じて伝達されるアップリンク要請関連パラメータと一緒に伝達されればよい。
【００７３】
この時、アップリンク要請関連パラメータは、帯域幅要請チャネルの割り当てられている位置に関する情報、バックオフ（ｂａｃｋ−ｏｆｆ）アルゴリズムで使用される帯域幅要請バックオフ開始時点に関する情報、及び帯域幅要請バックオフの終了時点に関する情報を含むことができる。
【００７４】
この時、それぞれのＢＲプリアンブルシーケンス集合には、所定個数のＢＲプリアンブルシーケンスが基本的に割り当てられてよく、特定目的に応じて追加的にさらに割り当てられてもよい。それぞれのＢＲプリアンブルシーケンス集合に含まれるＢＲプリアンブルシーケンスの個数は、移動端末及び基地局であらかじめ知っていることができる。
【００７５】
もちろん、基地局は、移動端末及び基地局間のシグナリングを通じて、ＢＲプリアンブルシーケンスの個数を移動端末に知らせてもよい。この場合、最後のＢＲプリアンブルシーケンス集合に含まれるＢＲプリアンブルシーケンスの個数は、基地局において暗黙的に把握できるから、基地局は、最後の集合に対する個数を表す別のシグナリングを行わなくても良い。もし、既存に割り当てられたＢＲプリアンブルシーケンス集合に変動がある場合、基地局は、それに関する情報を、明示的なシグナリングを通じて移動端末に知らせることができる。
【００７６】
移動端末は、まず、自身が伝送しようとするアップリンクデータの特性に基づいてＢＲプリアンブルシーケンス集合を選択することができる。次に、移動端末は、選択したＢＲプリアンブルシーケンス集合から任意のＢＲプリアンブルシーケンスを選択することができる。
【００７７】
下記の表１は、スケジューリングタイプによって分類されたＢＲプリアンブルシーケンス集合の一例を示すものである。
【００７８】
【表１】
0005474101.tif 000002
無線接続システムで提供するスケジューリングサービスは、非要請グラントサービス（ＵＧＳ：Ｕｎｓｏｌｉｃｉｔｅｄ  ｇｒａｎｔ  ｓｅｒｖｉｃｅ）、実時間ポーリングサービス（ｒｔＰＳ：Ｒｅａｌ−ｔｉｍｅ  ｐｏｌｌｉｎｇ  ｓｅｒｖｉｃｅ）、拡張実時間ポーリングサービス（ｅｒｔＰＳ：ｅｘｔｅｎｄｅｄ  ｒｔＰＳ）、非実時間ポーリングサービス（ｎｒｔＰＳ：Ｎｏｎ−ｒｅａｌ−ｔｉｍｅ  ｐｏｌｌｉｎｇ  ｓｅｒｖｉｃｅ）、最善型サービス（ＢＥ：Ｂｅｓｔ  Ｅｆｆｏｒｔ  ｓｅｒｖｉｃｅ）及び適応的グラントポーリングサービス（ａＧＰＳ：ａｄａｐｔｉｖｅ  Ｇｒａｎｔ  Ｐｏｌｌｉｎｇ  Ｓｅｒｖｉｃｅ）がある。
【００７９】
表１を参照すると、ＢＲプリアンブルシーケンス集合０は、ＵＧＳのために割り当てられ、０〜９のＢＲプリアンブルシーケンスを含むことができ、ＢＲプリアンブルシーケンス集合１は、ｒｔＰＳのために割り当てられ、１０〜１９のＢＲプリアンブルシーケンスを含むことができ、ＢＲプリアンブルシーケンス集合２は、ｅｒｔＰＳのために割り当てられ、２０〜２９のＢＲプリアンブルシーケンスを含み、ＢＲプリアンブルシーケンス集合３は、ｎｒｔＰＳ及びＢＥのために割り当てられ、３０〜３９のＢＲプリアンブルシーケンスを含むことができ、ＢＲプリアンブルシーケンス集合４は、ａＧＰＳのために割り当てられ、４０〜４９のＢＲプリアンブルシーケンスを含むことができる。
【００８０】
ここで、非要請グラントサービス（ＵＧＳ）は、Ｔ１／Ｅ１及び沈黙抑制技法が適用されないＶｏＩＰ（Ｖｏｉｃｅ  ｏｆ  ＩＰ）のような周期的で且つ固定した大きさのデータパケットを伝送するための実時間アップリンクサービスフローを支援するために考案されたものである。
【００８１】
実時間ポーリングサービス（ｒｔＰＳ）は、動画像専門家グループ（ＭＰＥＧ）ビデオのような周期的で且つ可変大きさのデータパケットを伝送するための実時間アップリンクサービスフローを支援するために考案されたものである。
【００８２】
拡張実時間ポーリングサービス（ｅｒｔＰＳ）は、ＵＧＳ及びｒｔＰＳ２の効率性のために考案されたスケジューリングメカニズムである。
【００８３】
非実時間ポーリングサービス（ｎｒｔＰＳ）は、ネットワークが混雑している状況においてもアップリンクサービスフロー受信要請機会を保障するためのユニキャストポール（ｐｏｌｌ）を提供する。すなわち、可変大きさのデータパケットを生成する非実時間サービスフローを支援するサービスである。
【００８４】
最善型サービス（ＢＥ）は、アップリンクにおいて最善型トラフィックのための効率的なサービスを提供するためのスケジューリングタイプを示す。
【００８５】
適応的グラントポーリングサービス（ａＧＰＳ）は、初期サービス交渉過程で定義できる一つ以上のＱｏＳパラメータ集合を示す。
【００８６】
下記の表２は、サービスタイプ及び優先順位によって分類されたＢＲプリアンブルシーケンスの一例を示すものである。
【００８７】
【表２】
0005474101.tif 000003
表２を参照すると、ＢＲプリアンブルシーケンス集合を、サービスタイプが遅延敏感サービス（Ｄｅｌａｙ  Ｓｅｎｓｉｔｉｖｅ  Ｓｅｒｖｉｃｅ）であるか、または、遅延耐性サービス（Ｄｅｌａｙ  Ｔｏｌｅｒａｎｔ  Ｓｅｒｖｉｃｅ）であるかによって分類し、なお、優先順位の高低によって分類することができる。
【００８８】
下記の表３は、サービスタイプ及び優先順位によって分類されたＢＲプリアンブルシーケンス集合の他の例を示すものである。
【００８９】
【表３】
0005474101.tif 000004
表３で、ＢＲプリアンブルシーケンス集合０、１、２、３は、ＬＳＢ  ２ビットがそれぞれ００、０１、１０、１１から始まる全てのＢＲプリアンブルシーケンスを表す。
【００９０】
下記の表４は、サービスタイプ、優先順位及び帯域幅要請大きさによって分類されたＢＲプリアンブルシーケンス集合の一例を示すものである。
【００９１】
【表４】
0005474101.tif 000005
表４のＢＲプリアンブルシーケンス集合０、１、２、３、４、５は、ＬＳＢ  ３ビットがそれぞれ０００、１００、００１、１０１、０１０、１１０から始まる全てのＢＲプリアンブルシーケンスを表す。
【００９２】
下記の表５は、サービスタイプ、優先順位及び帯域幅要請大きさによって分類されたＢＲプリアンブルシーケンス集合の他の例を示すものである。
【００９３】
【表５】
0005474101.tif 000006
表５で、ＢＲ大きさは、バーストインデックスと定義できる。表５で、ＢＲプリアンブルシーケンスパターンは、ＬＳＢ  ４ビットを用いて表示されたもので、移動端末は、サービスタイプ、優先順位及びＢＲ大きさによって分類されたＢＲプリアンブルシーケンスパターンを選択することができる。
【００９４】
下記の表６は、移動端末及び基地局で使用するコーデックによるＶｏＩＰパケットの総大きさを考慮して定義したものである。
【００９５】
【表６】
0005474101.tif 000007
表６は、移動端末及び基地局で使用するコーデックの種類によるＶｏＩＰパケットの大きさを表したものである。ＢＲ大きさは、一般に多く使用されるコーデックＡＭＲ、Ｇ．７２９のみを考慮して定義することができる。例えば、ＢＲプリアンブルシーケンスの特定２ビット値が０ｂ００であれば、ＶｏＩＰパケットの大きさがバーストインデックス９（１６ｂｙｔｅ）と定義され、０ｂ０１はバーストインデックス１４（２９ｂｙｔｅ）と、０ｂ１０はバーストインデックス１７（４２ｂｙｔｅ）と、０ｂ１１はバーストインデックス２１（７１ｂｙｔｅ）と定義できる。
【００９６】
移動端末は、表１乃至表６で説明したようなＢＲプリアンブルシーケンスマッピング規則によって分類されたＢＲプリアンブルシーケンス集合を選択し、選択したＢＲプリアンブルシーケンス集合から任意のＢＲプリアンブルシーケンスを選択してランダムアクセス過程を行うことができる。この時、表１乃至表６で説明したＢＲプリアンブルシーケンスマッピング規則（例えば、いかなるＱｏＳキーパラメータが使用されるか）及び／またはマッピング情報（例えば、ＢＲプリアンブルシーケンス集合インデックス及び／またはＢＲプリアンブルシーケンス番号など）は、移動端末及び基地局において既に設定設された値として知っているか、基地局でシグナリング（例えば、ＳＦＨ伝送またはＤＳｘ処理過程）によって移動端末に知らせることができる。
【００９７】
（帯域幅要請プリアンブルシーケンス選択方法ＩＩ）
移動端末は、ＱｏＳキーパラメータ以外の高速接続メッセージ内に含まれた情報（例えば、ステーション識別子（ＳＴＩＤ））を用いて、ＢＲプリアンブルシーケンスを選択することができる。
【００９８】
図５ａ及び図５ｂは、本発明の一実施例であって、ステーション識別子を用いてＢＲプリアンブルシーケンスを選択する方法の一つを示す図である。
【００９９】
図５ａを参照すると、移動端末は、ステーション識別子（ＳＴＩＤ）のＬＳＢあるいはＭＳＢの一部ビットを用いてＢＲプリアンブルシーケンスを選択でき、移動端末は、あらかじめ定義されたビットの特定位置（例えば、５番目または９番目）を用いてＢＲプリアンブルシーケンスを選択することができる。
【０１００】
例えば、移動端末は、ＳＴＩＤのＬＳＢ  ２ビットを用いてＢＲプリアンブルシーケンスを選択することができる。図５を参照すると、ＳＴＩＤの１０番目と１１番目のビット値が００であれば、端末は、ｎ番目とｎ＋１番目のビット値が００であるＢＲプリアンブルシーケンス（例：ｘ００ｘｘ）を選択する。ＳＴＩＤの１０番目と１１番目のビット値が０１であれば、端末は、ｎ番目とｎ＋１番目のビット値が０１であるＢＲプリアンブルシーケンス（例：ｘ０１ｘｘ）を選択する。ＳＴＩＤの１０番目と１１番目のビット値が１０であれば、端末は、ｎ番目とｎ＋１番目のビット値が１０であるＢＲプリアンブルシーケンス（例：ｘ１０ｘｘ）を選択する。端末は、ＳＴＩＤの１０番目と１１番目のビット値が１１であれば、ｎ番目とｎ＋１番目のビット値が１１であるＢＲプリアンブルシーケンス（例：ｘ１１ｘｘ）を選択する。この時、ＳＴＩＤの何ビットが使われるかは、移動端末及び基地局であらかじめ知っていてもよく、基地局によりシグナリングされてもよい。
【０１０１】
また、端末は、任意に選択したＢＲ機会（ＢＲ  ｏｐｐｏｒｔｕｎｉｔｙ）のインデックス値に基づく計算値により決定されたビット位置の値によって、ＢＲプリアンブルシーケンスを選択することができる。
【０１０２】
ポジション０（ｐｏｓｉｔｉｏｎ  ０）＝ｍ  ｍｏｄｕｌｏ  ＳＴＩＤ長
ポジションｐ＝｛（ポジションｎ−１＋オフセット）ｍｏｄｕｌｏ  ＳＴＩＤ長｝（ｐ＞０）
ＢＲ機会インデックス（ＢＲ  ｏｐｐｏｒｔｕｎｉｔｙ  ｉｎｄｅｘ）ｍは、一つのフレーム内にあるＢＲチャネル（すなわち、ＢＲ機会）の割当順序（時間軸）に従って索引される。この時、オフセット≧１の条件を有する。また、オフセット値は、あらかじめ定義されてもよく、基地局によりＳＦＨまたは他の放送メッセージを用いてシグナリングされてもよい。
【０１０３】
図５ｂは、移動端末がＢＲ機会のインデックス値によってＢＲプリアンブルシーケンスを選択する方法を示している。図５ｂを参照すると、移動端末がＢＲ機会インデックス４を選択し、オフセットが１であり、ＳＴＩＤ  ２ビットを用いるとする。
【０１０４】
この場合、ポジション０は４  ｍｏｄｕｌｏ  １２＝４であり、ポジション１は、４＋１  ｍｏｄｕｌｏ  １２＝５である。したがって、ＳＴＩＤの４番目と５番目のビット値が‘００’であれば、移動端末はｎ番目とｎ＋１番目のビット値が００であるＢＲプリアンブルシーケンス（例：ｘ００ｘｘ）を選択し、‘０１’であれば、移動端末はｎ番目とｎ＋１番目のビット値が０１であるＢＲプリアンブルシーケンス（例：ｘ０１ｘｘ）を選択し、‘１０’であれば、端末はｎ番目とｎ＋１番目のビット値が１０であるＢＲプリアンブルシーケンス（例：ｘ１０ｘｘ）を選択する。また、ＳＴＩＤの４番目と５番目のビット値が‘１１’であれば、端末は、ｎ番目とｎ＋１番目のビット値が１１であるＢＲプリアンブルシーケンス（例：ｘ１１ｘｘ）を選択する。
【０１０５】
また、移動端末は、自身のＳＴＩＤを、伝送しようとするアップリンクデータの特性に該当するセットに割り当てられたＢＲプリアンブルシーケンスの総個数（ｋｎ）でモジュールロ（ｍｏｄｕｌｏ）演算した値によってＢＲプリアンブルシーケンスを選択することができる。
【０１０６】
例えば、移動端末は、（ＳＴＩＤ  ｍｏｄｕｌｏ  ｋｎ）で計算された値から、ＢＲ大きさの各種類をマッピングすることができる。すなわち、ＳＴＩＤが１８であり、優先順位の高い遅延敏感に対するＢＲプリアンブルシーケンスのマッピング内容は、下記の表７のようである。
【０１０７】
【表７】
0005474101.tif 000008
表７を参照すると、移動端末は、計算値が、（１８  ｍｏｄｕｌｏ  ８）により２となるから、シーケンスインデックスが２である地点から、あらかじめ定義されたＢＲ大きさをマッピングする。このような方法を用いると、移動端末間衝突確率は下げることができるが、基地局は、メッセージをデコーディングし、ＳＴＩＤを得てはじめて端末の要求した大きさがわかる。
【０１０８】
上述したように、ＢＲ大きさは、移動端末に、開始点のみ異なる、固定された大きさの値が設定されることができる。ここで、ＢＲの固定された大きさは、Ｓ−ＳＦＨあるいは追加的放送メッセージを通じて変更されてもよい。また、ＢＲ大きさは、初期ネットワーク進入（Ｉｎｉｔｉａｌ  Ｎｅｔｗｏｒｋ  ｅｎｔｒｙ）過程で伝送されるＭＡＣ管理メッセージ（例：ＡＡＩ＿ＲＮＧ−ＲＳＰ、ＡＡＩ＿ＳＢＣ−ＲＳＰ）を通じて各端末に伝送されてよい。また、ＢＲ大きさは、ＤＳｘ処理過程（動的サービス追加過程、変更過程または削除過程）で各移動端末ごとにそれぞれ異なる大きさの値が割り当てられてもよい。
【０１０９】
例えば、移動端末Ａは、０ｂ００が１００バイトで、０ｂ０１が２００バイトであるのに対し、移動端末Ｂは、０ｂ００は５０バイトで、０ｂ０１が１００バイトである形態と定義することができる。したがって、移動端末Ａが、０ｂ００にマッピングされたＢＲプリアンブルシーケンスを基地局に伝送すると、基地局は、１００バイトを伝送できる無線リソースを移動端末Ａに割り当て、移動端末Ｂが、０ｂ００にマッピングされたシーケンスを伝送すると、基地局は、５０バイトを伝送できるリソースを、移動端末Ｂに割り当てることができる。
【０１１０】
移動端末は、フロー識別子（ＦＩＤ：Ｆｌｏｗ  ＩＤ）によってＢＲプリアンブルシーケンスをマッピングすることができる。この方法は、各ＢＲプリアンブルシーケンス集合ごとに、フロー識別子値によって昇順あるいは降順に並べ替え（ｒｅｏｒｄｅｒｉｎｇ）することである。
【０１１１】
例えば、移動端末が、高い優先順位の遅延敏感サービスで使われるＦＩＤである５、８、１２を持っているとすれば、移動端末はＦＩＤ  ５を２に、ＦＩＤ  ８を３に、ＦＩＤ  １２を４にマッピングすることができる。
【０１１２】
移動端末は、ＦＩＤによってマッピングされたＢＲプリアンブルシーケンスを基地局に伝送する場合に、該当のＦＩＤに対するＱｏＳパラメータ集合を変更するための目的に使用する情報も一緒に伝送することができる。
【０１１３】
例えば、特定ＢＲプリアンブルシーケンスは、ＱｏＳパラメータ集合が１であれば、ＦＩＤのＱｏＳパラメータ集合を、現在ＱｏＳパラメータ集合（例：１）から他の集合（例：０）へと変更しろ、ということを意味するものと定義することができる。
【０１１４】
（帯域幅要請プリアンブルシーケンス選択方法ＩＩＩ）
以下では、ＢＲプリアンブルシーケンスを、ＱｏＳパラメータである優先順位、遅延度合及び／またはＢＲ大きさなどを考慮して選択する方法を開示する。
【０１１５】
第一に、移動端末は、副スーパーフレーム（Ｓ−ＳＦＨ：Ｓｅｃａｎｄａｒｙ  Ｓｕｐｅｒ  Ｆｒａｍｅ  Ｈｅａｄｅｒ）を通じて伝達された情報に基づき、ＢＲプリアンブルシーケンスを決定することができる。
【０１１６】
例えば、移動端末は、ＢＲプリアンブルシーケンス集合の最大スケジューリング遅延値（ｍａｘｉｍｕｍ  ｓｃｈｅｄｕｌｉｎｇ  ｄｅｌａｙ）が考慮された差等タイマー（Ｄｉｆｆｅｒｅｎｔｉａｔｅｄ  Ｔｉｍｅｒ）値を、あらかじめ知っていればよい。または、差等タイマー値は、基地局によりＢＲ機会、ＢＲバックオフ開始／終了などのようなシステム情報を伝送するＳ−ＳＦＨを通じて知らせられてもよい。この時、移動端末は、該当の差等タイマー値とアップリンクで伝送するデータの最大遅延を考慮して、いかなるＢＲプリアンブルシーケンス集合を選択するかが決定できる。
【０１１７】
例えば、ＢＲプリアンブルシーケンス集合０の差等タイマーが２０ｍｓであり、ＢＲプリアンブルシーケンス集合１の差等タイマーが４０ｍｓであり、移動端末が伝送するデータの最大遅延値が３０ｍｓの場合、移動端末は、ＢＲプリアンブルシーケンス集合０から一つのＢＲプリアンブルシーケンスを選択する。
【０１１８】
第二に、移動端末は、ＤＳｘ処理過程を通じてＢＲプリアンブルシーケンスを決定することができる。
【０１１９】
例えば、移動端末と基地局はそれぞれ、サービスフローを生成及び修正する過程において動的サービス追加（ＤＳＡ：Ｄｙｎａｍｉｃ  Ｓｅｒｖｉｃｅ  Ａｄｄｉｔｉｏｎ）過程と動的サービス変更（ＤＳＣ：Ｄｙｎａｍｉｃ  Ｓｅｒｖｉｃｅ  Ｃｈａｎｇｅ）メッセージを交換することができる。移動端末及び基地局は両方ともサービスフローの生成及び修正を要請することができる。この過程において、移動端末と基地局は、該当のサービスフローに対してアップリンクリソース要請をする時に使用するＢＲプリアンブルシーケンスの決定要素（例えば、ＱｏＳキーパラメータ）を協議することができる。この時、移動端末及び基地局は、ＱｏＳパラメータ及びＢＲ大きさなどを考慮することができる。
【０１２０】
図６は、本発明の一実施例であって、ＤＳｘ処理過程を用いるＢＲプリアンブルインデックス決定方法の一つを示す図である。
【０１２１】
図６を参照すると、基地局（ＡＢＳ）は、サービスフローの生成を要請するＤＳＡ−ＲＥＱメッセージを移動端末（ＡＭＳ）に伝送することができる。この時、ＤＳＡ−ＲＥＱメッセージには、該当のサービスフローのＱｏＳパラメータ、サービスフロー識別子（ＦＩＤ）、該当のサービスフローに対するアップリンクリソースを要請する時に使用するＢＲプリアンブルシーケンス集合インデックス、既に設定されたＢＲインデックス（例えば、ＢＲ大きさインデックス）及び差等タイマー（ｄｉｆｆｅｒｅｎｔｉａｔｅｄ  ｔｉｍｅｒ）値のうち一つ以上が含まれればよい（Ｓ６１０）。
【０１２２】
基地局及び移動端末は、３ステップランダムアクセス過程で使用されるＢＲ大きさ（または、フロー大きさ）を、ＤＳＡ処理過程において構成及び決定することができる。下記の表８は、ＢＲ大きさインデックスの一例を示すものである。
【０１２３】
【表８】
0005474101.tif 000009
表８のように、ＢＲ大きさインデックスが４ビットで構成されているとすれば、ＢＲ大きさインデックスは、総１６種類のＢＲ大きさを表すことができる。そのうち、基地局及び移動端末は、まだ使用していない一つのインデックス（０ｂ００１０）を、特定ＢＲ大きさに割り当て、該インデックスがいかなる大きさ（３００ｂｙｔｅ）を要請するものであるかを交渉するようになる。
【０１２４】
この時、基地局及び／または移動端末は、該当のサービスフローのＱｏＳパラメータを考慮してその大きさを決定することができる。したがって、同一の特性に同一の大きさを有するインデックスが存在すると、基地局は該インデックスを移動端末に伝送する。
【０１２５】
移動端末は、該当の値に対して調整が必要な場合、ＤＳＡ−ＲＳＰメッセージに、調整されたＢＲ大きさを含めて伝送する。図６では、移動端末が、ＤＳＡ−ＲＥＱメッセージに含まれた値をそのまま使用するとする。このような場合には、ＤＳＡ−ＲＳＰメッセージには、既に設定されたＢＲインデックスが含まれればいい（Ｓ６２０）。
【０１２６】
移動端末は、該当のサービスフローに対してアップリンクで伝送するデータがある場合、ＤＳＡ処理過程で協議された情報（既に設定されたＢＲインデックスなど）に基づいてＢＲプリアンブルシーケンスを選択し、基地局に伝送する（Ｓ６３０）。
【０１２７】
サービスフローを生成及び修正する過程で協議された情報に基づいてＢＲプリアンブルシーケンスが選択されるから、基地局は、受信したＢＲプリアンブルシーケンス及び高速接続メッセージの情報に基づき、移動端末が伝送するデータの主要特性（至急性など）及び要請した帯域幅の大きさが容易にわかる。
【０１２８】
基地局及び／または移動端末は、ＢＲ大きさインデックスを、実際のＢＲ大きさ情報ではなく、一つのフロー（ａＧＰＳ）にあるＱｏＳパラメータ集合を変更するための用途に使用することができる。
【０１２９】
例えば、０ｂ００１１をＱｏＳパラメータ集合変更目的に使用する場合、移動端末が、０ｂ００１１インデックス値をＳ６３０段階においてＢＲプリアンブルシーケンスと高速接続メッセージを通じて基地局に伝送することができる。基地局は、受信したＢＲコードに乗せられたＢＲ大きさインデックスにマッピングされているフロー識別子（ＦＩＤ）の現在ＱｏＳパラメータ集合（例：１）から他のＱｏＳパラメータ集合（例：０）へと変更しろ、という意味であることがわかり、ＱｏＳパラメータ集合を変更する。
【０１３０】
（帯域幅要請プリアンブルシーケンス伝送方法）
以下では、帯域幅要請時に誤りの生じた場合における誤り処理過程について説明する。すなわち、移動端末がＢＲプリアンブルシーケンス選択方法Ｉ乃至ＩＩＩによって選択したＢＲプリアンブルシーケンスを伝送する方法について説明する。
【０１３１】
３ステップランダムアクセス方式において使われるＢＲプリアンブルシーケンスの個数（ｋ０〜ｋｍ−１）または５ステップランダムアクセス方式において使われるＢＲプリアンブルシーケンスの個数（ｋｍ）は、あらかじめ定義されていてもよく、基地局からＳ−ＳＦＨを通じて伝送されてもよい。
【０１３２】
移動端末は、上記の帯域幅要請プリアンブルシーケンス選択方法Ｉ〜ＩＩＩで開示したマッピング規則に従って選択したＢＲプリアンブルシーケンスと高速接続メッセージを、基地局に伝送することができる。また、これを受信した基地局は、ＢＲプリアンブルシーケンスマッピング規則に従ってＢＲプリアンブルシーケンスに乗せられた情報（例えば、サービスタイプ、優先順位及び／またはスケジューリングタイプなど）を獲得することができる。
【０１３３】
図７は、本発明の一実施例であって、３ステップランダムアクセス方式の一例を示す図である。
【０１３４】
図７は、上述した表４のＢＲプリアンブルシーケンスマッピング規則に従って、移動端末がＢＲプリアンブルシーケンスを選択して使用すると仮定する。すなわち、ＢＲプリアンブルシーケンス集合及びＢＲプリアンブルシーケンス範囲は、アップリンクデータのサービスタイプ、優先順位及びＢＲ大きさによって決定されるとする。また、図７は、基地局が、移動端末から伝送されたＢＲプリアンブルシーケンス及び高速接続メッセージの両方を正常に受信した場合を取り上げる。
【０１３５】
移動端末は、ＢＲ大きさと伝送するアップリンクデータの特性に基づいて選択されたＢＲプリアンブルシーケンスと高速接続メッセージを、基地局に伝送する（Ｓ７１０）。
【０１３６】
この時、移動端末は、Ｓ７１０段階でメッセージ伝送した後、ＢＲタイマーを起動する。もし、ＢＲタイマーが終了する前に、移動端末がＵＬデータ伝送のための無線リソース割当情報を基地局から受信したり、ＢＲ  ＡＣＫを通じて受信失敗を感知すると、移動端末は、該当のタイマーを終了する。しかし、ＢＲタイマーが終了するまで、移動端末が無線リソース割当情報を受信できないと、移動端末は、アップリンクリソース要請手順（Ｓ７１０段階）を再び試みることができる。
【０１３７】
基地局は、ＢＲプリアンブルシーケンス及び高速接続メッセージを受信すると、ＢＲ  ＡＣＫメッセージを通じて、移動端末に、ＢＲプリアンブルシーケンス及び高速接続メッセージのそれぞれを受信したか否かを知らせることができる（Ｓ７２０）。
【０１３８】
基地局は、受信したＢＲプリアンブルシーケンスを通じて、移動端末が伝送しようとするデータの特性、及び帯域幅要請大きさがわかる。また、基地局は、受信したＢＲプリアンブルシーケンスが、３ステップランダムアクセス方式のアップリンク要請のために割り当てられたシーケンスであるから、高速接続メッセージをデコーディングし、高速接続メッセージから、アップリンク帯域幅を要請した移動端末が確認できる。したがって、基地局は、移動端末に、データ特性に基づく差別化した時間内に、要請された帯域幅に該当する無線リソースを割り当て、それに関する割当情報を、一般ＭＡＰ情報要素（例えば、ＵＬ基本割当Ａ−ＭＡＰ情報要素）を通じて、移動端末に伝送することができる（Ｓ７３０）。
【０１３９】
移動端末は、割り当てられたアップリンクリソース領域を通じて、アップリンクデータを基地局に伝送することができる（Ｓ７４０）。
【０１４０】
図８は、本発明の一実施例であって、３ステップランダムアクセス方式の他の例を示す図である。
【０１４１】
図８は、移動端末が上記の表４のＢＲプリアンブルシーケンスマッピング規則にしたがってＢＲプリアンブルシーケンスを選択して使用するとする。すなわち、ＢＲプリアンブルシーケンス集合及びＢＲプリアンブルシーケンス範囲は、アップリンクデータのサービスタイプ、優先順位及びＢＲ大きさによって決定されると仮定する。ただし、図８では、基地局が、移動端末から伝送されたＢＲプリアンブルシーケンスは正常に受信したが、高速接続メッセージの受信には失敗した場合を取り上げる。
【０１４２】
移動端末は、ＢＲ大きさと伝送するアップリンクデータの特性に基づいて選択されたＢＲプリアンブルシーケンスと高速接続メッセージを、基地局に伝送する（Ｓ８１０）。
この時、移動端末は、Ｓ８１０段階においてメッセージ伝送後にＢＲタイマーを起動する。もし、ＢＲタイマーが終了する前に、移動端末がＵＬデータ伝送のための無線リソース割当情報を基地局から受信したり、ＢＲ  ＡＣＫから受信失敗を感知すると、移動端末は、該当のタイマーを終了する。しかし、ＢＲタイマーが終了するまで、移動端末が無線リソース割当情報を受信できないと、移動端末はアップリンクリソース要請手順（Ｓ８１０段階）を再び試みることができる。
【０１４３】
基地局は、ＢＲプリアンブルシーケンス及び高速接続メッセージを受信すると、ＢＲ  ＡＣＫメッセージを通じて、移動端末に、ＢＲプリアンブルシーケンス及び高速接続メッセージのそれぞれを受信したか否かを知らせることができる（Ｓ８２０）。
【０１４４】
基地局は、受信したＢＲプリアンブルシーケンスから、移動端末が伝送しようとするデータの特性、及び帯域幅要請大きさがわかる。したがって、基地局は、該当のＵＬデータの特性及び帯域幅要請大きさを考慮してＵＬデータ伝送のための無線リソースを割り当てることができる。しかし、基地局は、移動端末を識別するステーション識別子（ＳＴＩＤ）を含む高速情報メッセージを正常に受信できなかったため、アップリンク帯域幅を要請した移動端末がわからない。
【０１４５】
したがって、基地局は、割り当てられた無線リソースに関する情報を、ＲＡＩＤ（Ｒａｎｄｏｍ  Ａｃｃｅｓｓ  ＩＤ）でＣＲＣマスキングされたＣＤＭＡ割当Ａ−ＭＡＰ情報要素を通じて、移動端末に知らせることができる（Ｓ８３０）。
【０１４６】
Ｓ８３０段階においてＲＡＩＤは、基地局で受信したＢＲプリアンブルシーケンスと、該当のシーケンスが感知されたＢＲ機会などにより生成された識別子であって、基地局及び移動端末が識別できる。すなわち、基地局は、高速接続メッセージを正常に受信できなかったものの、移動端末が要求する帯域幅の大きさと伝送するＵＬデータの特性がわかる。
【０１４７】
移動端末は、割り当てられたアップリンクリソース領域を通じて、アップリンクデータを基地局に伝送することができる（Ｓ８４０）。
【０１４８】
図９は、本発明の一実施例であって、３ステップランダムアクセス方式の他の例を示す図である。
【０１４９】
図９は、  移動端末が、上記表７のＢＲプリアンブルシーケンスマッピング規則または上記表８のＤＳｘ処理方法のようなマッピング規則にしたがってＢＲプリアンブルシーケンスを選択して使用すると仮定する。すなわち、ＢＲプリアンブルシーケンス集合及びＢＲプリアンブルシーケンス範囲は、アップリンクデータのサービスタイプ、優先順位、ＢＲ大きさ及び／またはＢＲ大きさインデックスによって決定されるとする。ただし、図９では、基地局が、移動端末から伝送されたＢＲプリアンブルシーケンスは正常に受信したが、高速接続メッセージの受信には失敗した場合を取り上げる。
【０１５０】
移動端末は、ＢＲ大きさ及び伝送するアップリンクデータの特性に応じて、表７で説明したマッピング方式に基づいてＢＲプリアンブルシーケンスを選択する。したがって、移動端末は、選択したＢＲプリアンブルシーケンスと高速接続メッセージを、基地局に伝送する（Ｓ９１０）。
【０１５１】
基地局は、ＢＲプリアンブルシーケンス及び高速接続メッセージを受信すると、ＢＲ  ＡＣＫメッセージを通じて、移動端末に、ＢＲプリアンブルシーケンス及び高速接続メッセージのそれぞれを受信したか否かを知らせることができる（Ｓ９２０）。
【０１５２】
基地局は、受信したＢＲプリアンブルシーケンスから、移動端末が伝送しようとするデータの特性しかわからない。しかし、基地局は、移動端末を識別するステーション識別子（ＳＴＩＤ）を含む高速情報メッセージを正常に受信できなかったため、移動端末がどれだけのアップリンク帯域幅を要請したかがわからない。
【０１５３】
したがって、基地局は、移動端末に、ＢＲヘッダーを伝送するためのアップリンク無線リソースを割り当て、割り当てた無線リソースに関する情報を、ＲＡＩＤ（Ｒａｎｄｏｍ  Ａｃｃｅｓｓ  ＩＤ）でＣＲＣマスキングされたＣＤＭＡ割当Ａ−ＭＡＰ情報要素を通じて、移動端末に知らせることができる（Ｓ９３０）。
【０１５４】
Ｓ９３０段階において、ＲＡＩＤは、基地局で受信したＢＲプリアンブルシーケンスと該当のシーケンスが感知されたＢＲ機会などにより生成された識別子であって、基地局及び移動端末の両方がこの識別子を識別することができる。基地局は、高速接続メッセージを正常に受信できなかったが、移動端末が伝送するＵＬデータの特性がわかるから、ＢＲヘッダー伝送のためのリソース割当が緊急であるか否かがわかる。もし、移動端末が、表８で説明したマッピング方式に基づいてのみＢＲプリアンブルシーケンスを選択すると、基地局は、移動端末が伝送するＵＬデータの特性もわからない。
【０１５５】
移動端末は、割り当てられたアップリンクリソース領域を通じてＢＲヘッダーを基地局に伝送することができる（Ｓ９４０）。
【０１５６】
図１０は、本発明の一実施例であって、３ステップランダムアクセス方式のさらに他の例を示す図である。
【０１５７】
図１０は、上記表４のＢＲプリアンブルシーケンスマッピング規則にしたがって移動端末がＢＲプリアンブルシーケンスを選択して使用すると仮定する。すなわち、ＢＲプリアンブルシーケンス集合及びＢＲプリアンブルシーケンス範囲は、アップリンクデータのサービスタイプ、優先順位及びＢＲ大きさによって決定されるとする。ただし、図１０では、基地局が、移動端末から伝送されたＢＲプリアンブルシーケンスの受信にも、高速接続メッセージの受信にも失敗した場合を取り上げる。
【０１５８】
図１０を参照すると、移動端末は、表４のＢＲプリアンブルシーケンスマッピング規則にしたがって選択したＢＲプリアンブルシーケンス及び高速接続メッセージを、基地局に伝送することができる（Ｓ１０１０）。
【０１５９】
移動端末は、ＢＲプリアンブルシーケンス及び高速接続メッセージを伝送した後、ＢＲタイマーを始動する。もし、ＢＲタイマーが終了する前に、移動端末がアップリンク無線リソース割当情報を受信したり、ＢＲ  ＡＣＫメッセージを通じてＢＲプリアンブルシーケンス及び高速接続メッセージの受信失敗を感知したりすると、移動端末は、ＢＲタイマーを終了することができる。しかし、ＢＲタイマーが満了するまで、移動端末がアップリンク割当情報を受信できなかった場合には、移動端末はＳ１０１０段階を繰り返すことができる。
【０１６０】
基地局は、ＢＲプリアンブルシーケンス及び高速接続メッセージを受信すると、ＢＲ  ＡＣＫメッセージを通じて、移動端末に、ＢＲプリアンブルシーケンス及び高速接続メッセージのそれぞれを受信したか否かを知らせることができる（Ｓ１０２０）。
【０１６１】
この時、ＢＲプリアンブルシーケンス及び高速接続メッセージ両方の受信に失敗したから、ＢＲ  ＡＣＫメッセージに含まれる受信シーケンスリスト内に、移動端末の伝送したＢＲプリアンブルシーケンスに関する情報が含まれていない。したがって、移動端末は、ＢＲタイマーを終了し、Ｓ１０１０段階で伝送したＢＲプリアンブルシーケンス及び高速接続メッセージを、基地局に再伝送する（Ｓ１０３０）。
【０１６２】
以上の図７乃至図１０では、表４、表７または表８で説明したＢＲプリアンブルシーケンスマッピング方式によってマッピングされたＢＲプリアンブルシーケンスを選択して使用する方法について説明したが、移動端末は、図７乃至図１０において、表１乃至表３、表５及び表６などで説明したＢＲプリアンブルシーケンスマッピング方式によってマッピングされたＢＲプリアンブルを選択することができる。
【０１６３】
図１１は、本発明の一実施例であって、５ステップランダムアクセス方式の一例を示す図である。
【０１６４】
本発明の実施例では、３ステップランダムアクセス方式において使用されるＢＲプリアンブルシーケンスと５ステップランダムアクセス方式において使用されるＢＲプリアンブルシーケンスを区分して使用すると仮定する。例えば、移動端末は、３ステップランダムアクセス方式を利用する場合、表１乃至表８で説明したＢＲプリアンブルシーケンスマッピング規則を利用し、５ステップランダムアクセス方式を利用する場合、３ステップランダムアクセス方式にマッピングされたＢＲプリアンブルシーケンス以外を利用することができる。すなわち、３ステップと５ステップのランダムアクセス方式によってＢＲプリアンブルシーケンス集合を構成し、該当の集合からＢＲプリアンブルシーケンスを選択すればいい。
【０１６５】
移動端末は、アップリンク帯域幅割当を要請すべく、５ステップランダムアクセス方式のために割り当てられたＢＲプリアンブルシーケンスを、基地局に伝送する（Ｓ１１１０）。
【０１６６】
Ｓ１１１０段階において移動端末は、ＢＲプリアンブルシーケンスを伝送した後、デフォルトＢＲタイマーを始動する。もし、デフォルトＢＲタイマーが終了するまで、移動端末がアップリンク無線リソース割当情報を受信できなかった場合、または、ＢＲ  ＡＣＫを通じてＢＲプリアンブルシーケンスの伝送失敗を感知すると、移動端末は、デフォルトＢＲタイマーを終了する。ただし、移動端末がデフォルトＢＲタイマーが満了するまで無線リソース割当情報を受信できなかった場合には、移動端末はＳ１１１０段階を繰り返し行うことができる。
【０１６７】
基地局は、受信したＢＲプリアンブルシーケンスが５ステップランダムアクセス方式のために割り当てられたシーケンスであることを認識すると、高速接続メッセージに対するデコーディングを行わない。また、基地局は、ＢＲプリアンブルシーケンスを受信すると、ＢＲ  ＡＣＫメッセージを通じて、移動端末に、ＢＲプリアンブルシーケンスを正常に受信したか否かを知らせることができる（Ｓ１１２０）。
【０１６８】
基地局は、受信したＢＲプリアンブルシーケンスからは、移動端末が伝送しようとするデータの特性、及び帯域幅要請大きさがわからない。そこで、基地局は、移動端末に、ＢＲヘッダーを伝送するためのアップリンク無線リソースを割り当て、割り当てた無線リソースに関する情報を、ＲＡＩＤ（Ｒａｎｄｏｍ  Ａｃｃｅｓｓ  ＩＤ）でＣＲＣがマスキングされたＣＤＭＡ割当Ａ−ＭＡＰ情報要素を通じて、移動端末に知らせることができる（Ｓ１１３０）。
【０１６９】
Ｓ１１３０段階において、ＲＡＩＤは、基地局で受信したＢＲプリアンブルシーケンスと該当のシーケンスが感知されたＢＲ機会などにより生成された識別子であって、基地局及び移動端末がこれを識別することができる。
【０１７０】
移動端末は、割り当てられたアップリンクリソース領域を通じてＢＲヘッダーを基地局に伝送することができる（Ｓ１１４０）。
【０１７１】
図１２は、本発明の一実施例であって、５ステップランダムアクセス方式の他の例を示す図である。
【０１７２】
図１２は、基地局が、移動端末から伝送された５ステップランダムアクセス方式において使用される専用ＢＲプリアンブルシーケンスを正常に受信できなかった場合における５ステップアップリンクリソース要請手順を示している。
【０１７３】
移動端末は、アップリンク無線リソースの割当を要請すべく、５ステップランダムアクセス方式のために占有されたＢＲプリアンブルシーケンスを選択して基地局に伝送する（Ｓ１２１０）。
【０１７４】
移動端末は、ＢＲプリアンブルシーケンスを伝送した後、デフォルトＢＲタイマーを始動する。もし、デフォルトＢＲタイマーが満了するに、移動端末が、無線リソース割当情報を受信したり、ＢＲ  ＡＣＫを通じてＢＲプリアンブルシーケンスの受信失敗を感知すると、移動端末は、該当のデフォルトＢＲタイマーを終了する。しかし、デフォルトＢＲタイマーが満了するまで、移動端末が無線リソース割当情報を受信できかった場合には、移動端末は、アップリンクリソース要請手順を再び試みることができる。
【０１７５】
基地局は、ＢＲプリアンブルシーケンスを受信すると、ＢＲ  ＡＣＫメッセージを通じて、移動端末に、ＢＲプリアンブルシーケンスの受信に成功したか否かを知らせることができる（Ｓ１２２０）。
【０１７６】
この時、ＢＲプリアンブルシーケンスの受信に失敗したから、ＢＲ  ＡＣＫメッセージに含まれる受信シーケンスリスト内に、移動端末の伝送したＢＲプリアンブルシーケンスに関する情報が含まれていない。したがって、移動端末は、ＢＲタイマーを終了し、Ｓ１２１０段階で伝送したＢＲプリアンブルシーケンスを、基地局に再伝送する（Ｓ１２３０）。
【０１７７】
図１３は、本発明のさらに他の実施例であって、図２乃至図１２で説明した本発明の実施例を行いうる移動端末及び基地局を示す図である。
【０１７８】
移動端末及び基地局は、送信機及び受信機を含むことができる。したがって、移動端末は、アップリンクにおいては送信端として動作し、ダウンリンクにおいては受信端として動作することができる。また、基地局は、アップリンクにおいては受信端として動作し、ダウンリンクにおいては送信端として動作することができる。
【０１７９】
すなわち、移動端末及び基地局は、情報、データ及び／またはメッセージの伝送及び受信を制御するために、それぞれ、送信モジュール（Ｔｘ  ｍｏｄｕｌｅ）１３４０，１３５０及び受信モジュール（Ｒｘ  ｍｏｄｕｌｅ）１３５０，１３７０を含むことができ、情報、データ及び／またはメッセージを送受信するためのアンテナ１３００，１３１０などを含むことができる。
【０１８０】
ここで、送信モジュールは、一つ以上の無線周波数（ＲＦ：Ｒａｄｉｏ  Ｆｒｅｑｕｅｎｃｙ）送信機を制御することができ、受信モジュールは、一つ以上のＲＦ受信機を制御することができる。ただし、ＲＦ送信機の個数とＲＦ受信機の個数は、互いに異なってもよい。基地局にとっては、受信モジュールは１つのＲＦ受信機を制御してアップリンクデータを受信し、送信モジュールは２つ以上のＲＦ送信機を制御してダウンリンクデータを伝送すると望ましい。
【０１８１】
また、移動端末及び基地局はそれぞれ、上述した本発明の実施例を行うためのプロセッサ（Ｐｒｏｃｅｓｓｏｒ）１３２０，１３３０と、プロセッサの処理過程を臨時にまたは持続して保存メモリー１３８０，１３９０をそれぞれ含むことができる。特に、プロセッサ１３２０，１３３０は、本発明の実施例で開示したランダムアクセス方式を行うためのＢＲプリアンブルシーケンス選択方法を制御することができる。
【０１８２】
移動端末及び基地局に含まれたプロセッサは、媒体接続制御（ＭＡＣ）エンティティを備えていることができる。ＭＡＣエンティティは、論理的個体であって、移動端末及び基地局のプロセッサの内部または外部に存在することができる。すなわち、移動端末及び基地局は、ＭＡＣエンティティを用いて、図２乃至図１２で上述した本発明の実施例の動作を行うことができる。
【０１８３】
移動端末及び基地局に含まれた送信モジュール及び受信モジュールは、データ伝送のためのパケット変復調機能、高速パケットチャネルコーディング機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／またはチャネル多重化機能を果たすことができる。
【０１８４】
図１３で説明した装置は、図２乃至図１２で説明した方法が具現されうる手段である。上述した移動端末及び基地局装置の構成成分及び機能を用いて、本願発明の実施例を行うことができる。
【０１８５】
移動端末に備えられたプロセッサ１３２０は、上述したＢＲプリアンブルシーケンス選択方法Ｉ乃至ＩＩＩを行うことができる。すなわち、プロセッサは、移動端末がＱｏＳキーパラメータに含まれる情報及びデータサービス特性に基づいてＢＲプリアンブルシーケンスを選択するように制御することができる。また、移動端末は、選択したＢＲプリアンブルシーケンスを用いて、図７乃至図１２で説明した３ステップランダムアクセス方法または５ステップランダムアクセス方法を行うことができる。
【０１８６】
すなわち、移動端末及び基地局は、プロセッサを制御して、ＢＲプリアンブルシーケンスを選択するためのシグナリング（例えば、ＤＡｘ処理過程）を行ったり、メモリーに保存されている既に設定されたＢＲインデックス（例えば、表１乃至表７で定義されたＢＲプリアンブルマッピング方法）からＢＲプリアンブルシーケンスを選択することができる。
【０１８７】
また、移動端末のプロセッサは、送信モジュールを制御して、選択したＢＲプリアンブルシーケンス及び／または高速接続メッセージを基地局に伝送する。基地局は、受信モジュールを通じて受信したＢＲプリアンブルシーケンスをデコーディングし、移動端末にアップリンク無線リソースを割り当てる。また、基地局のプロセッサは、送信モジュールを制御して、割り当てられた無線リソースに関する情報を移動端末に知らせることができる。
【０１８８】
一方、本発明において、移動端末には、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、Ｗ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートブックＰＣ、スマート（Ｓｍａｒｔ）フォンまたはマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０１８９】
ここで、スマートフォンとは、移動通信端末機と個人携帯端末機のメリットを結合した端末機で、移動通信端末機に、個人携帯端末機の機能である日程管理、ファックス送受信及びインターネット接続などのデータ通信機能を組み合わせた端末機のことを意味する。また、マルチモードマルチバンド端末機とは、マルチモデムチップを組み込んでおり、携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（Ｗｉｄｅｂａｎｄ  ＣＤＭＡ）システム等）のいずれにおいても作動できる端末機のことをいう。
【０１９０】
本発明に係る実施例は、様々な手段、例えば、ハードウェア、ファームウェア（ｆｉｒｍｗａｒｅ）、ソフトウェアまたはそれらの結合などにより具現することができる。
【０１９１】
ハードウェアによる具現の場合、本発明の一実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１９２】
ファームウェアやソフトウェアによる具現の場合、本発明の一実施例に係る方法は、以上で説明された機能または動作を行うモジュール、手順または関数などの形態とすることができる。例えば、ソフトウェアコードは、メモリーユニット１３８０，１３９０に記憶され、プロセッサ１３２０，１３３０により駆動されることができる。メモリーユニットは、プロセッサの内部または外部に設けられて、公知の様々な手段によりプロセッサとデータを交換することができる。
【０１９３】
本発明は、本発明の技術的思想及び必須特徴を逸脱しない範囲で他の特定の形態に具体化可能であるということは、当業者にとっては明らかである。したがって、上記の詳細な説明は、いずれの面においても制約的に解析されてはならず、例示的なものとして考慮されなければならない。本発明の範囲は、添付した請求項の合理的な解析により決定されるべきであり、よって、本発明の等価的範囲内における変更はいずれも本発明の範囲に含まれる。なお、特許請求の範囲で明示的な引用関係を有しない請求項を結合して実施例を構成したり、出願後の補正により新しい請求項として含めることができるということは明らかである。
【産業上の利用可能性】
【０１９４】
本発明の実施例は、種々の無線接続システムに適用することができる。種々の無線接続システムの例には、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／またはＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、それら種々の無線接続システムの他に、それら種々の無線接続システムを応用したいずれの技術分野にも適用することができる。
【図１】
0005474101.tif 000010
【図２】
0005474101.tif 000011
【図３】
0005474101.tif 000012
【図４】
0005474101.tif 000013
【図５】
0005474101.tif 000014
【図６】
0005474101.tif 000015
【図７】
0005474101.tif 000016
【図８】
0005474101.tif 000017
【図９】
0005474101.tif 000018
【図１０】
0005474101.tif 000019
【図１１】
0005474101.tif 000020
【図１２】
0005474101.tif 000021
【図１３】
0005474101.tif 000022